(57)【要約】【課題】本考案は、学校施設内への不審者の侵入防止を図り、児童、生徒等の学校関係者の安全性の強化を図る学校管理システムを提供するものである。【解決手段】本考案の学校管理システムは、個々の児童等の登校時から下校時に至るまでの学校１の門４、学校１内の教室、通路等の学校関連施設の利用時の個人認証及び利用許可、図書の貸出、返却確認を、個々の児童等が保有するタグ９に記録された個人識別情報をリーダライタ１０で読み取り、個人認証用データベースの登録データと照合することにより行う手段と、タグ９による個人認証をできない者に対しては学校関連施設の利用拒否及び警報発生を行う手段と、更に、個人認証時の各履歴の作成を行う手段とを具備したものである。【選択図】図２
0003103622.tif 000002
【実用新案登録請求の範囲】
【請求項１】
個々の学校関係者の登校から下校に至る学校関連施設の利用時の個人認証及び利用許可を、個々の学校関係者が保有する非接触型個人識別媒体に記録された個人識別情報を媒体処理手段で読み取り、個人認証用データベースの登録データと照合することにより行う手段と、
前記非接触型個人識別媒体による個人認証をできない者に対しては学校関連施設の利用拒否及び警報発生を行う手段と、
前記個人認証時の履歴の作成を行う手段と、
を具備したことを特徴とする非接触型個人識別媒体からなる学校管理システム。
【請求項２】
個々の学校関係者の登校時から下校時に至るまでの学校の門、学校内の室、通路等の学校関連施設の利用時の個人認証及び利用許可、図書の貸出、返却確認を、個々の学校関係者が保有する非接触型個人識別媒体に記録された個人識別情報を非接触型媒体処理手段で読み取り、個人認証用データベースの登録データと照合することにより行う手段と、
前記非接触型個人識別媒体による個人認証をできない者に対しては前記学校関連施設の利用拒否及び警報発生を行う手段と、
前記個人認証時の各履歴の作成を行う手段と、
を具備したことを特徴とする非接触型個人識別媒体からなる学校管理システム。
【請求項３】
学校の入退用の門に設けたゲート開閉手段の通過時の個人認証及び入退許可を、個々の学校関係者が保有する非接触型個人識別媒体に記録された個人識別情報を媒体処理手段で読み取り、個人認証用データベースの登録データと照合することにより行う手段と、
前記非接触型個人識別媒体による個人認証をできない者に対しては前記学校の入退用の門の通過拒否及び警報発生を行う手段と、
前記学校の入退用の門における個人認証の時の履歴の作成を行う手段と、
を具備したことを特徴とする非接触型個人識別媒体からなる学校管理システム。
【請求項４】
個々の学徒の家庭から学校への出発信号を受信する手段と、
学校の入退用の門に設けたゲート開閉手段の通過時の個人認証及び入退許可を、個々の学徒が保有する非接触型個人識別媒体に記録された個人識別情報を媒体処理手段で読み取り、個人認証用データベースの登録データと照合することにより行う手段と、
前記家庭から学校への出発信号と、学校登校時におけるゲート開閉手段の通過時の個人認証情報とにより個々の学徒の学校到着確認を行う手段と、
前記個々の学徒の学校からの退出時におけるゲート開閉手段の通過時の個人認証情報と、個々の学徒の家庭から学校への到着信号の受信とにより家庭到着確認を行う手段と、
前記非接触型個人識別媒体による個人認証をできない者に対してはゲート開閉手段の通過拒否及び警報発生を行うとともに、前記学校到着確認、家庭到着確認ができない場合には異常を示す警報発生を行う手段と、
前記学校の入退用の門における個人認証時の履歴の作成を行う手段と、
を具備したことを特徴とする非接触型個人識別媒体からなる学校管理システム。
【請求項５】
個々の学徒の上履に個人識別情報が記録された非接触型個人識別媒体を組み込み、学校の下駄箱における個々の学徒の履物収容部に媒体処理手段を設けて、
個々の学徒の登校時の履物収容部からの上履の取り出しの際、下校時の履物収容部への上履の戻しの際の媒体処理手段の読取信号によって、個々の学徒の登校確認、下校確認を行うととともに、
前記登校確認、下校確認の履歴作成を行う手段を具備したことを特徴とする非接触型個人識別媒体からなる学校管理システム。
【請求項６】
学校内の図書室における個々の学徒に対する図書の貸出確認、返却確認及び貸出記録、返却記録を、図書室に備えた端末装置における媒体処理手段で個々の学徒が保持する非接触型個人識別媒体を読み取り、個人認証用データベースの登録データと照合することで行う手段と、
前記貸出確認、返却確認時の履歴作成を行う手段と、
を具備したことを特徴とする非接触型個人識別媒体からなる学校管理システム。
【考案の詳細な説明】
【技術分野】
【０００１】
本考案は、非接触型個人識別媒体を用いた学校管理システムに関し、詳しくはＲＦＩＤ（Ｒａｄｉｏ  Ｆｒｅｑｕｅｎｃｙ  Ｉｄｅｎｔｉｆｉｃａｔｉｏｎ  Ｓｙｓｔｅｍ）タグを利用した非接触型個人識別媒体を用いた小学校、中学校等の種々の管理に適用して好適な学校管理システムに関するものである。
【背景技術】
【０００２】
近年、小学校、中学校等のように通常の状態では何人も校内に入出できるような施設においては、不法侵入者による盗難や傷害事件が頻発するようになり、このため、学校施設への入出管理規制の強化によるセキュリティ性の強化、防犯機能の強化、児童、生徒等の安全性の強化の諸対策が切実に要望されている。
【０００３】
特許文献１には、学校における種々の情報、行動等を処理、管理、記録するようにした学生証ＩＣカードによる学校管理装置が提案されている。
しかし、この学校管理装置の場合、校内における学生等の健康、食事、買い物等の種々の情報、行動等をＩＣカードの情報に基づいて処理、管理するものであり、学校施設の防犯や児童、生徒等の安全性の強化を図るものではない。
【特許文献１】特開平６−８３８４３号公報
【考案の開示】
【考案が解決しようとする課題】
【０００４】
解決しようとする問題点は、学校施設内への不審者等の不法侵入防止や、児童、生徒等の学徒の安全性の強化を簡略に実現する装置、システムが存在しない点である。
【課題を解決するための手段】
【０００５】
本考案は、非接触型個人識別媒体を用いた学校管理システムであって、個々の学校関係者の登校から下校に至る学校関連施設の利用時の個人認証及び利用許可を、個々の学校関係者が保有する非接触型個人識別媒体に記録された個人識別情報を媒体処理手段で読み取り、個人認証用データベースの登録データと照合することにより行う手段と、非接触型個人識別媒体による個人認証をできない者に対しては学校関連施設の利用拒否及び警報発生を行う手段と、前記個人認証時の履歴の作成を行う手段とを具備したことを最も主要な特徴とする。
【考案の効果】
【０００６】
本考案によれば以下の効果を奏する。
すなわち、請求項１乃至３記載の考案によれば、児童等の学校関係者に関する学校関連施設の利用時、すなわち、学校の門のゲート開閉手段等や、学校内の教室、構内通路等の入出、通行、更には学校所蔵の図書の貸出確認、返却確認を個々の学校関係者が保有する非接触型個人識別媒体を利用した個人認証により簡略、且つ、確実に行い、また、個人認証時の履歴作成も万全であり、更に不審者対策も万全で、セキュリティ性が高く、防犯性、安全性に優れた学校管理システムを提供できる。
【０００７】
請求項４記載の考案によれば、児童等の学徒が保有する非接触型個人識別媒体による個人認証によって、児童等の学徒の学校到着確認、家庭到着確認を確実に実行でき、また児童等の異常事態発生への対処や個人認証時の履歴作成も万全であり、更には不審者対策も万全で、児童等の学徒の登校、下校時の安全確保に寄与する学校管理システムを提供できる。
【０００８】
請求項５記載の考案によれば、履物に組み込んだ非接触型個人識別媒体による個人認証にて児童等の学徒の登校確認、下校確認を行うことができ、そして、登校確認、下校確認の履歴作成も履歴作成も万全な学校管理システムを提供できる。
【０００９】
請求項６記載の考案によれば、学校内の図書室における個々の学徒に対する図書の貸出確認、返却確認を個々の学徒が保持する非接触型個人識別媒体を利用して確実に行い、且つ、貸出確認、返却確認時の履歴作成も万全な学校管理システムを提供することができる。
【考案を実施するための最良の形態】
【００１０】
学校施設内への不審者の侵入防止を図り、児童、生徒等の学校関係者の安全性の強化を図るという目的を、個々の学校関係者の登校時から下校時に至るまでの学校の門、学校内の室、通路等の学校関連施設の利用時の個人認証及び利用許可、図書の貸出、返却確認を、個々の学校関係者が保有する非接触型個人識別媒体に記録された個人識別情報を非接触型媒体処理手段で読み取り、個人認証用データベースの登録データと照合することにより行い、非接触型個人識別媒体による個人認証をできない者に対しては前記学校関連施設の利用拒否及び警報発生を行い、更に、個人認証時の各履歴の作成を行うことで達成した。
【実施例】
【００１１】
以下に、本考案の非接触型個人識別媒体を用いた学校管理システムの実施例を詳細に説明する。
本実施例に係る学校管理システムは、図１に示すような学校１において、児童２、生徒等の学徒、学校１の教員及び職員（以下「学校関係者」ともいう）の行動に関する個人認証を、個々の児童２が保持する非接触型個人識別媒体であるＲＦＩＤタグ（Ｒａｄｉｏ  Ｆｒｅｑｕｅｎｃｙ  Ｉｄｅｎｔｉｆｉｃａｔｉｏｎ  Ｓｙｓｔｅｍ）９を用いて行うようにしたものである。
ＲＦＩＤタグ９（以下単に「タグ９」という）は、例えば図３、図４に示すように、全体としてカード状に構成され、正面に児童２等の顔写真９ｂ、児童２等の氏名９ｃ、例えば１２桁の識別番号９ｄが付されるともに、内部に薄型（フィルム状）のコイル９ｅ等を含んで構成され、予め更新可能に記録している例えば１２桁程度の数字列等からなる識別番号９ｄに相当する個人識別情報を電磁誘導による反射波を利用して非接触で外部に発信するように構成したものである。
【００１２】
なお、タグ９の選定に関しては、軽量であること、バッテリーレスであること、携帯性に優れること、耐久性、耐水性に優れること、心電計等の医療器具への影響がない微弱出力であること、送受信スピードが適切であること（０．５秒以下）等を考慮する。
【００１３】
本実施例に係る学校管理システムについて、図１に示すように、学校１と、この学校１に通学する個々の児童２の各家庭３とが存在する場合を前提として以下に説明する。
【００１４】
学校１の校内に入出するための門４の領域には、図１、図２に示すようなゲート板５Ａ、５Ｂが配置され、更に例えば一対のゲート棒１５の回動によりゲート板５Ａ、５Ｂの間を解放し又は遮断して、児童２や教員等の学校関係者、更には不審者の校内への入出を許可又は拒否するためのゲート開閉手段１４が設けられている。
ゲート開閉手段１４としては、図１、図２に示すものは一例であり、この他スライド扉式等種々の構造のゲート開閉機構をそなえたもので構成可能である。
【００１５】
また、ゲート板５Ａ又はその近傍には、個人、個人の児童２等が所有するタグ９が発信する個人識別情報を読み取る非接触の媒体処理手段であるリーダライタ１０が壁付け式で配置されている。前記リーダライタ１０は、児童２等の登校時、下校時に夫々自己のタグ９を近付け易いように、前記ゲート板５Ａに対して表裏配置に２個配置している。
更に、前記ゲート板５Ａ又はその近傍領域には、赤外線による物体検知を行う赤外線検知器１１、警報発生用のブザー１２を配置している。
【００１６】
次に、図５、図６を参照して本実施例における学校１の施設の一つである個々の児童２等の上履である例えば多数のスリッパ２２を収容する下駄箱２０について説明する。
【００１７】
下駄箱２０には、図５に示すように、多数のスリッパ２２を収容する収容領域２１が設けられ、且つ、個々の収容領域２１の底板部には、個々の児童２等の登校確認、下校確認を行うための非接触の媒体処理手段であるリーダライタ１０Ａが所要数組み込まれている。
また、下駄箱２０には、赤外線検知器１３、警報発生用のブザー１２を配置した構成とすることもできる。
前記スリッパ２２における児童２等の足が載せられるスリッパ底２３内には図６に示すように個々の児童２毎に異なる個人識別情報が記録されたタグ９Ａが組み込まれている。
【００１８】
この場合のタグ９Ａに記録する個人識別情報としては、前記タグ９の個人識別情報と同一でもよいし、又は、スリッパ２２群用に設定した別個の個人識別情報でもよい。更に、児童２等の上履としては、スリッパ２２の他に、個々の児童２等用の上履靴でもよく、また、靴の中敷に前記タグ９Ａを組み込む構成でもよい。
【００１９】
次に、図７を参照して本実施例における学校１の施設の一つである校内の通路３０及び天井３２、教室の扉４０について説明する。
校内の通路３０を構成する床３１には、前記スリッパ２２のタグ９Ａの個人識別情報を読み取る床埋め込み式の非接触の媒体処理手段であるリーダライタ１０Ｂが例えば数ｍ間隔で配置されている。また、通路３０を構成する天井３２には赤外線感知方式の赤外線検知器３３が例えば数ｍ間隔で配置されている。更に、前記通路３０を構成する壁３４には要所要所には警報であるブザー音を発するブザー３５が取り付けられている。
【００２０】
また、教室の扉４０が設置される壁３４には、前記扉４０の近傍領域に壁付け式の非接触の媒体処理手段であるリーダライタ１０Ｃ、ブザー音を発するブザー３６が設けられとともに、扉４０の施錠、開錠を行う扉開閉部３７が設置されている。
【００２１】
次に、図８を参照して本実施例における学校１の施設の一つである図書室５０内の構成について説明する。
図書室５０には、学校１が所蔵する図書６０の児童２等に対する貸出、返却を行う際の図書管理を行う図書室端末（コンピュータ）５１、この図書室端末５１に接続した図書６０の貸出、返却時の児童２等の個人認証を行うための非接触の媒体処理手段であるリーダライタ１０Ｄが設置されている。図書室端末５１は端末本体５２、表示部５３、キーボード５４等を具備している。
【００２２】
次に、本実施例に係る学校管理システムの制御系について、図９を参照して説明する。
本実施例に係る学校管理システムは、全体の制御プログラムを記憶したプログラムメモリ７１が接続されたＣＰＵ等を含む制御部７０を備えた管理コンピュータ１００を備えている。
【００２３】
管理コンピュータ１００は、前記プログラムメモリ７１に加えて、個々の児童２等の各家庭３から送信されてくる児童２等の各家庭３からの出発信号を受信し、当該児童２等の氏名、出発時間等と関連付けて記憶処理する通信処理手段７２と、前記個々の児童２等が所有するタグ９に記録した個人識別情報に対応する全員の氏名、個人識別情報等の登録データ、又は前記スリッパ２２に組み込んだ各タグ９Ａに記録した個人識別情報に対応する全員の氏名、個人識別情報等の登録データを予め格納している個人認証用データベース７３と、前記リーダライタ１０、１０Ａ乃至１０Ｄが読み取るタグ９又はタグ９Ａからの個人識別情報と、前記個人認証用データベース７３に格納している登録データとを照合し、認証許可又は認証拒否の判定を行う認証処理手段７４とを有している。
【００２４】
前記通信処理手段７２は、例えば児童２等の家庭３からのインターネットを通じての電子メール、携帯電話からの携帯メール、携帯電話又は通常の有線電話から音声による児童２等の家庭３からの時間情報を含む出発信号（文字データ又は通話データ）を受信し当該児童２等の氏名、出発時間等と関連付けて記憶処理可能に構成している。更に、前記通信処理手段７２は、例えば学校１の職員等による操作によって、個々の児童２等の学校からの時間情報を含む下校信号をインターネットを通じての電子メール、又は携帯電話からの携帯メールにより、又は、携帯電話又は通常の有線電話からの音声にて個々の家庭に送信可能に構成している。
【００２５】
また、前記前記管理コンピュータ１００は、前記タグ９又はタグ９Ａに記録している個人識別情報を定期的（例えば１日毎、１週間毎等）に又は任意に自動更新するための更新処理手段７５と、前記認証処理手段７４による各種の個人認証処理の内容を基に、個々の児童２等の登校、下校時の時間履歴、下駄箱２０における個々の児童２等の登校、下校確認等の履歴、前記学校１の校内の通路３０における児童２等の通行履歴、教室の扉４０に対する児童２等の開閉に関する履歴、前記リーダライタ１０Ｄ、図書室端末５１の動作に対応する図書６０の児童２等に対する貸出、返却のような図書管理の履歴等を、時間記録、日計記録、月次記録等の諸方式で作成する履歴作成部７６と、前記認証処理手段７４に認証結果が認証拒否等の場合に、ブザー音等の警報を発する本体警報発生部７７と、各種情報を記憶する記憶手段７８とを有している。
【００２６】
更に、前記管理コンピュータ１００は、文字、数字等の各種データ入力用のキーボード８１、前記履歴作成部７６で作成した各種の履歴等を印刷出力するプリンタ８２を具備している。
【００２７】
このような構成の前記管理コンピュータ１００に対して、上述した学校１の各所に配置した各施設の各要素をＬＡＮ（ローカルエリアネットワーク）等の通信手段で接続している。
すなわち、図９に示すように、前記門４の領域のゲート開閉手段１４、リーダライタ１０、赤外線検知器１１、ブザー１２は、ゲート信号処理部９１、ＬＡＮ回線を介して前記制御部７０に接続されている。
また、前記下駄箱２０のリーダライタ１０Ａ、ブザー１２、赤外線検知器１３は、下駄箱信号処理部９２、ＬＡＮ回線を介して前記制御部７０に接続されている。前記校内の通路３０及び天井３２、教室の扉４０の領域におけるリーダライタ１０Ｂ、赤外線検知器３３、ブザー３５、リーダライタ１０Ｃ、ブザー３６、扉開閉部３７は、校内信号処理部９３、ＬＡＮ回線を介して前記制御部７０に接続されている。更に、リーダライタ１０Ｄを接続して居る前記図書室端末５１もＬＡＮ回線を介して前記制御部７０に接続されている。
【００２８】
次に、上述した本実施例に係る学校管理システムの動作について、場合を分けて説明する。
【００２９】
（学校１の門における入退時の個人認証）
児童２等の登校時、下校時の学校１の門における個人認証は以下のように行われる。児童２が自己の家庭３から学校１へ登校する場合には、家庭３に居る父母等が電子メール、携帯電話等によって児童２の時間情報を含む出発信号を学校１へ送信する。この出発信号は、管理コンピュータ１００の通信処理手段７２にて受信され、当該児童２等の氏名、出発時間等と関連付けて記憶処理される。
【００３０】
児童２が学校１の門に到着し、ゲート開閉手段１４を通過して校内に入ろうとする際には、児童２は自己が保持するタグ９をリーダライタ１０の近傍に近付ける。これにより、当該児童２のタグ９に記録された個人識別情報がリーダライタ１０により読み取られ、ゲート信号処理部９１、ＬＡＮ回線を介して前記管理コンピュータ１００の制御部７０に送信される。管理コンピュータ１００においては、認証処理手段７４によってタグ９に記録された個人識別情報と個人認証用データベースの登録データとの照合が実行され、当該児童２の個人認証が行われて、これにより管理コンピュータ１００の制御の基にゲート開閉手段１４が開状態となり、当該児童２は、校内に入ることができる。
【００３１】
また、児童２が学校１の門から出て下校しようとする際には、児童２は自己が保持するタグ９を図２に示す校内側のリーダライタ１０の近傍に近付ける。これにより、当該児童２のタグ９に記録された個人識別情報がリーダライタ１０により読み取られ、以下登校寺の処理と同様にして当該児童２の個人認証が行われ、ゲート開閉手段１４が開状態となり、当該児童２は、学校１を出て自己の家庭３へ向けて下校することになる。
【００３２】
当該児童２が、自己の家庭３に到着した時には家庭３に居る父母等が電子メール、携帯電話等によって児童２の時間情報を含む到着信号を学校１へ送信する。この到着信号は、管理コンピュータ１００の通信処理手段７２にて受信され、当該児童２等の氏名、出発時間等と関連付けて記憶処理される。
【００３３】
このようにして、学校１の門における児童２の入退時（登校、下校時）の個人認証が円滑に実行され、また、児童２の家庭３から学校１への出発信号と、学校登校時におけるゲート開閉手段１４の通過時の個人認証情報とにより、個々の児童２の学校到着確認を行うことができる。更に、下校時におけるゲート開閉手段１４の通過時の個人認証情報と、到着信号とにより、個々の児童２の家庭到着確認を行うことができる。
【００３４】
仮に前記出発信号を受信したにもかかわらず相当時間当該児童２の学校１の門における個人認証がなされない場合、又は、当該児童２の学校１の門からの下校時の個人認証がなされたにもかかわらず相当時間当該児童２の家庭３からの到着信号が学校１に送信されない場合には、各々当該児童２に例えば交通事故等の異常事態が生じたものとして、前記本体警報発生部７７から異常警報を発するようにすれば、当該児童２の異常事態を職員、教員等に速やかに告知でき、迅速な対応が可能となる。
【００３５】
また、仮に学校１の門において、タグ９を保持していない不審者がゲート開閉手段１４を通過して校内に入ろうとしても、ゲート開閉手段１４は前記タグ９の個人識別情報による個人認証を行わない限り開状態にならないため、当該不審者の校内への進入を完全に遮断することができ、また、前記赤外線検知器１１の不審者に対する検知動作で、門のブザー１２を鳴らし、管理コンピュータ１００の本体警報発生部７７を鳴動させることで、不審者の進入阻止機能を発揮させることができ、極めてセキュリティ性が高く、防犯性、安全性に優れた学校管理システムを提供できる。
【００３６】
上述したような個々の児童２に関する登校、下校時の個人認証、個々の児童２の学校到着確認、家庭到着確認、更には赤外線検知器１１の不審者の検知情報等の各履歴情報は、前記履歴作成部７６により時間記録、日計記録、月次記録等の諸方式で作成され、前記記憶手段７８に記憶されるとともに、必要に応じてプリンタ８２により印刷出力され職員、教員等の視認に供される。
【００３７】
（学校１の下駄箱２０における個人認証）
次に、前記下駄箱２０における個々の児童２の登校確認、下校確認を行う動作について説明する。
【００３８】
前記下駄箱２０の個々の収容領域２１の底板部に組み込まれたリーダライタ１０Ａは、登校した児童２が自己の収容領域２１から自己のスリッパ２２を取り出し履いてきた運動靴を入れた際に生じる前記スリッパ２２内蔵のタグ９Ａからの個人識別情報の不存在を示す信号を下駄箱信号処理部９２を経て管理コンピュータ１００に送る。管理コンピュータ１００においては、認証処理手段７４によって前記タグ９Ａに記録された個人識別情報の不存在を示す信号と、個人認証用データベース７３の当該児童２の登録データとの照合が実行され、当該児童２が自己のスリッパ２２を履いたことを内容とする登校確認が行われる。
【００３９】
一方、個々の児童２が下校するに際して自己の収容領域２１から運動靴を取り出し、自己のスリッパ２２を登校前の状態に戻るように自己の収容領域２１に入れると、リーダライタ１０Ａは、前記スリッパ２２内蔵のタグ９Ａからの個人識別情報を読み取り、下駄箱信号処理部９２を経て管理コンピュータ１００に送る。管理コンピュータ１００においては、認証処理手段７４によって前記タグ９Ａに記録された個人識別情報と、個人認証用データベース７３の当該児童２の登録データとの照合が実行され、当該児童２が自己のスリッパ２２を下駄箱２０の収容領域２１に戻したことを内容とする当該児童２の下校確認が行われる。
【００４０】
このような児童２の登校確認、下校確認の情報も、前記履歴作成部７６により時間記録、日計記録、月次記録等の諸方式で作成され、前記記憶手段７８に記憶されるとともに、必要に応じてプリンタ８２により印刷出力され職員、教員等の視認に供される。また、仮に夜間等のように児童２等が下校した後に、仮に不審者が下駄箱２０の付近を徘徊するような場合において、前記赤外線検知器１３の検知動作と、ブザー１２の鳴動動作にて下駄箱２０付近の防犯性を高めるようにすることもできる。
【００４１】
（学校１の校内における個人認証）
次に、本実施例における学校１内の施設である校内の教室の扉４０の開閉等に関する個人認証について説明する。
【００４２】
児童２等が各自のスリッパ２２を履いて校内の通路３０の床３１を走行する際には、床埋め込み式の前記リーダライタ１０Ｂがスリッパ２２に組み込まれたタグ９Ａの個人識別情報を読み取り、管理コンピュータ１００に送る。管理コンピュータ１００においては、認証処理手段７４によって前記タグ９Ａに記録された個人識別情報と、個人認証用データベース７３の当該児童２の登録データとの照合が実行され、これにより、児童２等の校内の通路３０の通行時の個人認証が実行される。
【００４３】
また、児童２等が教室の扉４０から内部に入ろうとして、自己が保持するタグ９を前記扉４０の近傍領域の壁３４に取り付けたリーダライタ１０Ｃに近付けると、当該児童２等のタグ９に記録された個人識別情報がリーダライタ１０Ｃにより読み取られ、校内信号処理部９３、ＬＡＮ回線を介して前記管理コンピュータ１００の制御部７０に送信される。管理コンピュータ１００においては、認証処理手段７４によってタグ９に記録された個人識別情報と個人認証用データベースの登録データとの照合が実行され、当該児童２の個人認証が行われて、これにより管理コンピュータ１００の制御の基に前記扉開閉部３７が動作し扉４０が開状態となり、当該児童２等は、教室内に入ることができる。
このような児童２の通路３０の通行時や、教室への入室時の個人認証の情報も、前記履歴作成部７６により時間記録、日計記録、月次記録等の諸方式で作成され、前記記憶手段７８に記憶されるとともに、必要に応じてプリンタ８２により印刷出力され職員、教員等の視認に供される。
【００４４】
また、万一、タグ９を保持していない不審者が通路３０等を徘徊するような事態が生じた場合には、赤外線検知器３３の検知動作と、ブザー３６の鳴動動作にて通路３０や教室付近の防犯性を高めるようにすることもできる。
【００４５】
（学校１の図書室５０における個人認証）
次に、本実施例における学校１の施設の一つである図書室５０における児童２等に対する貸出、返却を行う際の個人認証を伴う図書管理について説明する。
【００４６】
図書室５０において、児童２等が図書室５０所蔵の例えば一冊の図書６０の貸出又は返却を行う際には、図書室端末５１に接続されたリーダライタ１０Ｄに自己が保持するタグ９を近付ける。これにより、当該児童２等のタグ９に記録された個人識別情報が、リーダライタ１０Ｄにより読み取られ、前記図書室端末５１、ＬＡＮ回線を介して前記管理コンピュータ１００の制御部７０に送信される。管理コンピュータ１００においては、認証処理手段７４によってタグ９に記録された個人識別情報と個人認証用データベースの登録データとの照合が実行され、当該児童２の個人認証が行われて、これにより、一冊の図書６０の当該児童２に関する貸出確認、返却確認が行われる。
また、このような貸出確認、返却確認時の情報も前記履歴作成部７６により時間記録、日計記録、月次記録等の諸方式で作成され、前記記憶手段７８に記憶されるとともに、必要に応じてプリンタ８２により印刷出力され職員、教員等の視認に供される。
【００４７】
また、前記タグ９に記録された個人識別情報を、前記更新処理手段７５で定期的に更新することで、よりセキュリティ性、安全性を向上できる。また、前記リーダライタ１０としては、壁掛け型、ＬＡＮ型、ＵＳＢ型等種々の形式のものを使用することが可能である。
【００４８】
以上説明した本実施例に係る学校管理システムによれば、児童、教員等のような学校関係者の登校時から下校時に至るまでの学校の門、学校内の室、通路等の学校関連施設の利用時の個人認証及び利用許可、図書６０の貸出、返却確認を、個々の学校関係者が保有するタグ９等に記録された個人識別情報をリーダライタ１０で読み取り、個人認証用データベース７３の登録データと照合することにより行うことができ、また、個人認証時の各履歴も容易に作成できる。
更に、本実施例に係る学校管理システムによれば、タグ９等による個人認証をできない者に対しては学校関連施設の利用拒否及び警報発生を行うことができるので、極めてセキュリティ性が高く、防犯性、安全性に優れた学校管理システムを提供できる。
【００４９】
なお、以上説明した本実施例においては、主として学校関係者としての児童２の学校１への登校から下校に至るまでの各種の行動を行う際の学校管理システムについて説明したが、学校関係者として、中学校や高等学校等の生徒、大学等の学生、更には学校の教員、職員等々に本考案を適用し得ることは言うまでもない。
また、学校１の施設としては既述した場合の他、体育館、理科室、実験室等々、学校１の各種の施設に本考案を適用し得ることも言うまでない。また、前記タグ９は学校１内で児童２等が操作する学習用コンピュータのログイン用として使用することも可能である。
【産業上の利用可能性】
【００５０】
本考案は、上述した学校管理システムに適用する他、広く病院、工場、企業の事務所ビル等のような多くの人が出入りし、管理すべき対象が多く存在する組織体の管理システムとしても応用可能である。
【図面の簡単な説明】
【００５１】
【図１】本考案の実施例に係る学校管理システムの全体構成の概略斜視図である。
【図２】本実施例に係る学校管理システムの学校の門の部分の拡大斜視図である。
【図３】本実施例に係るタグの一例を示す正面図である。
【図４】本実施例に係るタグの一例の内部構成を示す説明図である。
【図５】本実施例に係る下駄箱の構成を示す斜視図である。
【図６】本実施例に係るスリッパを示す拡大断面図である。
【図７】本実施例に係る学校内の通路、教室の扉を示す概略斜視図である。
【図８】本実施例に係る図書室内の図書室端末を示す概略斜視図である。
【図９】本実施例に係る学校管理システムの制御系のブロック図である。
【符号の説明】
【００５２】
１    学校
２    児童
３    家庭
４    門
５Ａ、５Ｂ  ゲート板
９    タグ
９Ａ  タグ
９ｂ  顔写真
９ｃ  氏名
９ｄ  識別番号
９ｅ  コイル
１０    リーダライタ
１０Ａ  リーダライタ
１０Ｂ  リーダライタ
１０Ｃ  リーダライタ
１０Ｄ  リーダライタ
１１    赤外線検知器
１２    ブザー
１３    赤外線検知器
１４    ゲート開閉手段
１５    ゲート棒
２０    下駄箱
２１    収容領域
２２    スリッパ
２３    スリッパ底
３０    通路
３１    床
３２    天井
３３    赤外線検知器
３４    壁
３５    ブザー
３６    ブザー
３７    扉開閉部
４０    扉
５０    図書室
５１    図書室端末
５２    端末本体
５３    表示部
５４    キーボード
６０    図書
７０    制御部
７１    プログラムメモリ
７２    通信処理手段
７３    個人認証用データベース
７４    認証処理手段
７５    更新処理手段
７６    履歴作成部
７７    本体警報発生部
７８    記憶手段
８１    キーボード
８２    プリンタ
９１    ゲート信号処理部
９２    下駄箱信号処理部
９３    校内信号処理部
１００    管理コンピュータ
【図１】
0003103622.tif 000003
【図２】
0003103622.tif 000004
【図３】
0003103622.tif 000005
【図４】
0003103622.tif 000006
【図５】
0003103622.tif 000007
【図６】
0003103622.tif 000008
【図７】
0003103622.tif 000009
【図８】
0003103622.tif 000010
【図９】
0003103622.tif 000011